(57)【要約】  一方の平坦面（４）が全反射性であるレーザ活性媒質としての結晶円板（２）と、部分透過性のエンドミラー（１０ａ）及び少なくとも１つの折返しミラー（１０ｂ）を含む共振器ミラー装置（１０）とを備えた固体レーザに関する。共振器ミラー装置（１０）は結晶円板（２）から空間的に分離して配置されると共に、それらの光学軸（１２ａ、１２ｂ）は、共振器ミラー装置（１０）内を伝播するレーザビーム（ＬＳ）が折返しミラー（１０ｂ）に傾斜角（βb）をもって入射するように、結晶円板（２）の中心軸（１４）に対し傾斜して走っている。本発明のレーザは、良好なビーム品質の下で、大出力のレーザビームを発生することができる。
2007524246.tif 000002
【特許請求の範囲】
【請求項１】
一方の平坦面（４）が全反射性であるレーザ活性媒質としての結晶円板（２）と、部分透過性のエンドミラー（１０ａ）及び少なくとも１つの折返しミラー（１０ｂ〜１０ｄ）を含む共振器ミラー装置（１０）とを備え、該ミラー装置（１０）が前記結晶円板（２）から空間的に分離して配置されると共に、それらの光学軸（１２ａ〜１２ｄ）が、前記共振器ミラー装置（１０）内を伝播するレーザビーム（ＬＳ）が前記折返しミラー（１０ｂ〜１０ｄ）に傾斜角（βb 〜 βd）をもって入射するよう前記結晶円板（２）の中心軸（１４）に対し傾斜して配置された固体レーザ。
【請求項２】
前記結晶円板（２）の全反射性平坦面（４）と反対側の平坦面（１６）上の励起面（８）を照射するポンプ光ビーム（Ｐ）を発生するポンプ光源（８０）を備え、前記折返しミラー（１０ｂ〜１０ｄ）が、各々前記励起面（８）の互いに対をなして配置された複数の部分平坦面（８ａ〜８ｄ）を互いに光学的に結合する請求項１記載の固体レーザ。
【請求項３】
前記複数の部分平坦面（８ａ〜８ｄ）が空間的に互いに分離された請求項２記載の固体レーザ。
【請求項４】
前記複数の部分平坦面（８ａ〜８ｄ）が前記励起面（８）を完全に覆う請求項２又は３記載の固体レーザ。
【請求項５】
前記励起面（８）が正方形である請求項２から４の１つに記載の固体レーザ。
【請求項６】
前記結晶円板（２）の全反射性平坦面（４）が、同時に全反射性エンドミラーとして用いられる請求項１から５の１つに記載の固体レーザ。
【請求項７】
前記結晶円板（２）と共振器ミラー装置（１０）により形成された共振器の内部に、レーザビーム（ＬＳ）の特性に影響を及ぼす光学的補助装置（２０）が配置された請求項１から６の１つに記載の固体レーザ。
【発明の詳細な説明】
【技術分野】
【０００１】
本発明は、レーザ活性媒質として薄い結晶円板を用いる固体レーザに関する。
【０００２】
この種の固体レーザは文献ではスラブレーザとも称され、例えば米国特許第５５５３０８８号や独国特許第１９９３９７７４号明細書等で公知である。公知の固体レーザは、レーザ活性媒質として僅か数百μｍ〜数ｍｍ迄の薄い厚さと、典型的には約１０ｍｍオーダの直径とを有する結晶円板を備えている。この結晶円板は一方の平坦面に反射層を、その反対側の平坦面に非反射層を各々備えている。
【０００３】
このスラブレーザにより発生されるレーザ出力は、例えば光学ポンプのために用いられるポンプ光ビームの、結晶円板内で吸収されるパワーにより定まる。現在、結晶円板内でポンプ光ビームを励起すべく、原理的に２つの可能性が存在する。ポンプ光ビームは、結晶円板の平坦面（長手方向）又は狭小面（横方向又は放射方向）で励起される。ポンプ光ビームの強さが強い程、又それによって励起される平坦面領域（横方向ポンプ装置では結晶円板の全平坦面、長手方向ポンプ装置ではポンプ光ビームにより照射される励起面）が大きければ大きい程、外部に取出し得る出力も大きくなる。
【０００４】
しかし最大ポンプ強度には制約がある。と言うのは、ポンプ強度が高すぎると光学的な障害を来たし、過大な熱負荷に基づき結晶円板の破損を来たすことがあるからである。Ｙｂ：ＹＡＧ結晶を有するスラブレーザの場合、この最大ポンプ強度は約５〜１０ｋＷ／ｃｍ2程度である。従って、代表的な５０％という効率の下では、最大２．５〜５ｋＷ／ｃｍ2のレーザ出力を達成できる。そこで個々の結晶円板のレーザ出力の増強は、利用できる励起面の拡大でしか可能性がないことになる。しかし、与えられた共振器に対して励起面を拡大すると、レーザビームの横方向モードの数及びビーム品質が低減する。
【０００５】
従って本発明の課題は、大出力のレーザビームを同時に良好なビーム品質の下で発生し得る、レーザ活性媒質として薄い結晶円板を備えた固体レーザを提供することにある。
【０００６】
この課題は、請求項１に記載の特徴を持つ固体レーザにより解決される。該レーザは、レーザ活性媒質としての結晶円板と、該円板と協働する共振器ミラー装置とを備える。結晶円板の一方の平坦面は全反射性であり、共振器ミラー装置は部分透過性の出力ミラーと少なくとも１つの折返しミラーとを含む。共振器ミラー装置は結晶円板から空間的に分離して配置されると共に、それらの光学軸は、共振器ミラー装置内を伝播するレーザビームが折返しミラーに傾斜角をもって入射するよう、結晶円板の中心軸に対し傾斜して配置される。少なくとも１つの外部折返しミラーを傾斜させて配置することで、励起面は、共振器ミラー装置内で用いるミラーの数に応じ、発生したレーザビームが直列的に通過する、より小さな部分平坦面、即ちセグメントに分割される。この結果レーザビームの寸法が縮小し、それに応じてビーム品質が高まる。更に共振器内のでレーザビームの方向転換の都度、結晶円板を複数回通過し、かつ増幅が複数回行われるので、特に比較的僅かな増幅度を持つ結晶円板、例えばＹｂ：ＹＡＧ結晶を用いる場合、共振器内損失がレーザ出力に敏感に反映することなしに、共振器内に補助装置、例えば偏光のためのブルースタープレート又は音響光学結晶をパルス駆動用のスイッチとして組込み可能となる。かかる補助装置は、特にレーザビームが半サイクルで１回しか通過しない場所に配置される。
【０００７】
本明細書では、光ビームの伝播方向を反射により変える光学素子を折返しミラーと称する。この考えでは、折返しミラーは複数のミラー面、例えば方向転換プリズムの形のミラー面ででも構成できる。その場合、複数のミラー面からなるミラー装置の光学軸は同軸である。そして、その光学軸に沿って伝播する光ビームは自ら元の方向に逆向きに、即ち１８０°の反射が行われる。
【０００８】
本発明の他の好ましい実施態様を、従属請求項に示す。
【０００９】
次に図示の実施例を参照し、本発明を詳細に説明する。
【００１０】
図１に示す固体レーザは、レーザ活性媒質としての結晶円板２を含む。結晶円板２の一方の平坦面４は、模式的に図示した冷却部材６に接している。冷却部材６に対向する平坦面４には全反射層を設けている。結晶円板２の反対側の励起面８に、ポンプ光ビームＰを長手方向から照射する。結晶円板２の幾何学的形状と大きさは、ポンプ光源８０により発生されるポンプ光ビームＰの断面形状により定まる。結晶円板２は、励起面８にポンプ光ビームＰを照射した際ハッチングを施した部分が活性化し、活性化領域として働く。
【００１１】
結晶円板２に外部共振器ミラー装置１０を組込む。この装置１０は、本実施例では部分透過型の出力ミラー１０ａと折返しミラー１０ｂからなる。両ミラー１０ａ、１０ｂは、それらの法線、又は曲面ミラーの場合にはその光学軸１２ａ〜１２ｂが、結晶円板２の中心軸１４に対し角度αa又はαbだけ傾けて配置される。結晶円板２の励起面８は２つの部分平坦面８ａ、８ｂに分割されている。本実施例では結晶円板２の全反射性平坦面４が同時にエンドミラー及び折返しミラーとして働く。部分平坦面８ｂの任意点から放出され、中心軸１４に対し平行に伝播するレーザビームＬＳは折返しミラー１０ｂに入射し、ここから部分平坦面８ａに投射される。該面８ａで反射されたレーザビームＬＳは出力ミラー１０ａに向けて反射され、そこに垂直に入射し、それ自体で部分的に反射される。かくして折返しミラー１０ｂは部分平坦面８ａ、８ｂの光学的結合に役立つ。
【００１２】
結晶円板２の、冷却部材６とは反対側の、ポンプ光ビームＰによって照射される平坦面１６は、共振器装置の外部ミラーと同様に曲面型となし得る。
【００１３】
出力ミラー１０ａの光学軸１２ａは、中心軸１４に対し角度αa ＝ ｄ／（２Ｌ）（Ｌ>>ｄ）だけ傾斜している。ここで、ｄは中心軸１４に対し直角に走る折返し面での励起面８の長さ、Ｌは共振器のアームの長さである。それに伴い、折返しミラー１０ｂの光学軸１２ｂは中心軸１４に対し角度αb ＝αa／２だけ傾斜して配置される。その結果レーザビームＬＳは折返しミラー１０ｂにより他の部分平坦面８ｂに向けて方向転換され、レーザビームＬＳは折返しミラー１０ｂに９０°と異なる角度βb、本実施例ではαb／２で入射する必要がある。
【００１４】
本実施例では、部分平坦面８ａ、８ｂは空間的に互いに分離している。即ち部分面８ａと８ｂは重なっておらず、互いに接しているだけである。しかし基本的には、両部分平坦面を部分的に重なるミラー装置としてもよい。
【００１５】
図２に示す如く励起面８は正方形である。このビーム形態は積層された複数のダイオードレーザアレイから構成したダイオードレーザをポンプ光源として用いることで生成し得る。ダイオードレーザアレイから放出される個々のレーザビームは幾何学的なビーム整形によって、互いに直交する両軸内でほぼ同じビーム品質を持つ正方形ビーム断面形状に変換される（独国特許第１９８４６５３２号明細書）。出力ミラー１０ａ及び折返しミラー１０ｂにより、正方形励起面８が、空隙なしに全励起面８を覆う互いに隣接する２つの四角形の部分平坦面８ａ、８ｂに分割される。ｘ軸方向でビーム断面を２等分することで、レーザビームＬＳのビーム品質が従来の共振器構造に比べて改善される。
【００１６】
図３による特に好ましい実施態様では、３つの折返しミラー１０ｂ〜１０ｄを用いることで、正方形励起面８の４つの正方形部分平坦面８ａ〜８ｄへのセグメント化を達成している。出力ミラー１０ａと折返しミラー１０ｂ〜１０ｄは、部分平坦面８ｂの表面に、該表面に対し垂直（中心軸１４に平行）に放出される折返しミラー１０ｂからのレーザビームＬＳが対角線位置にある部分平坦面８ｃに向けて方向転換するよう配置されている。そこでレーザビームＬＳは折返しミラー１０ｃに向けて反射され、折返しミラー１０ｃはレーザビームＬＳを部分平坦面８ｄに向けて方向転換する。該平坦面８ｄで反射されたレーザビームは、折返しミラー１０ｄと部分平坦面８ａを経て出力ミラー１０ａに達し、それに垂直に入射する。この実施例でも、折返しミラー１０ｂ〜１０ｄは各々空間的に互いに分離した２つの部分平坦面（折返しミラー１０ｂは部分平坦面８ｂと８ｃ、折返しミラー１０ｃは部分平坦面８ｃと８ｄ、折返しミラー１０ｄは部分平坦面８ｄと８ａ）を互いに光学的に結合する。
【００１７】
この装置では、レーザビームＬＳの断面寸法をｘ方向にもｙ方向にも２等分しており、そのため両方向のビーム品質を少なくともほぼ同程度に改善できる。
【００１８】
図は構造を模式的にのみ示す。占有空間を節約し、かつ製造技術的に簡単な構造を達成すべく、折返しミラー１０ｂ〜１０ｄは共通の基板上に配置するのが好ましい。
【００１９】
図４の実施例は、結晶円板２の全反射性平坦面４がエンドミラーとして作用せず、外部エンドミラー１０ｅを用いた共振器ミラー装置１０を示す。この装置１０では、外部エンドミラー１０ｅが同時に折返しミラーとしても働き、レーザビームＬＳが共振器内を半サイクル進行することで２度出現する。結晶円板２と外部共振器ミラー装置１０とで形成した共振器の内部の、出力ミラー１０ａの前（入力側）に、レーザビームの特性に作用を及ぼす光学的補助装置２０、例えばブルースタープレート又は音響光学結晶を配置する。
【００２０】
本発明は１組又は３組の折返しミラーを有する装置に限定されない。レーザビームが半サイクルで部分平坦面に複数回出現するような構成の折返しミラー装置も可能である。同様に励起面８は、正方形の代わりに他の形状、例えば円形であってもよい。
【図面の簡単な説明】
【００２１】
【図１】本発明による固体レーザの一実施例を説明するための側面図である。
【図２】本発明による固体レーザの一実施例を説明するための斜視図である。
【図３】本発明による固体レーザの他の実施例を説明するための斜視図である。
【図４】他の意実施例による共振器ミラー装置の原理を説明する説明図である。
【符号の説明】
【００２２】
２  結晶円板、４  全反射面平坦面、６  冷却部材、８  励起面、８ａ〜８ｄ  部分平坦面、１０  外部共振器ミラー装置、１０ａ  出力ミラー、１０ｂ〜１０ｄ  折返しミラー、１２ａ〜１２ｃ  光学軸、１４  中心軸、１６  平坦面、２０  光学的補助装置、８０  ポンプ光源、Ｐ  ポンプ光ビーム、ＬＳ  レーザビーム
【図１】
2007524246.tif 000003
【図２】
2007524246.tif 000004
【図３】
2007524246.tif 000005
【図４】
2007524246.tif 000006
【国際調査報告】
2007524246.tif 000007
2007524246.tif 000008
2007524246.tif 000009
2007524246.tif 000010
2007524246.tif 000011
2007524246.tif 000012